(57)【特許請求の範囲】
【請求項１】
屋内の複数箇所に配置され自身の位置情報を含む位置情報信号を周囲に送信する複数の位置情報送信機と、
該位置情報送信機が送信する位置情報信号を受信可能な位置情報受信携帯端末と、
該位置情報受信携帯端末をコンピュータネットワークに接続するネットワークアクセス手段と、
前記コンピュータネットワークに接続され、前記位置情報受信携帯端末に目的地までの経路を表示する案内サーバと、
前記案内サーバが前記位置情報受信携帯端末に経路として表示する通路脇の複数箇所に配置され、広告コンテンツの表示を行う複数の電子広告装置と、
前記コンピュータネットワークに接続され、前記案内サーバと連動して、該電子広告装置への表示を管理する広告管理サーバと、
からなる案内連動広告システムであって、
前記案内サーバは、
前記位置情報受信携帯端末がコンピュータネットワークを介してアクセスしてきたのを受けて案内図を前記位置情報受信携帯端末に送信して表示させる案内図表示手段と、
前記位置情報受信携帯端末から入力された検索キーワードに基づいて前記位置情報受信携帯端末を用いる操作者が行こうとする目的地を検索する目的地検索手段と、
前記位置情報受信携帯端末から検索キーワードが入力された場合には、前記目的地検索手段にて検索された目的地を選択し、前記位置情報受信携帯端末に表示される案内図上で直接目的地が選択された場合には当該目的地を選択する目的地選択手段と、
前記位置情報受信携帯端末によってアクセスされるたびに、前記位置情報受信携帯端末が前記位置情報送信機からの位置情報信号を受信することにより取得した位置情報と前記位置情報受信携帯端末のＩＤ情報とを取得するＩＤ位置情報取得手段と、
前記目的地選択手段による目的地の選択に続いて、該ＩＤ位置情報取得手段が取得した前記位置情報受信携帯端末の位置情報と、前記目的地選択手段が選択した目的地とから当該目的地までの経路を求めて前記位置情報受信携帯端末に表示する経路表示手段と、
を有し、
前記広告管理サーバは、
前記位置情報受信携帯端末の位置情報と前記電子広告装置の位置情報とから前記位置情報受信携帯端末の操作者が前記電子広告装置に到達する到達予想時刻を計算する到達予想時刻計算手段と、
前記位置情報受信携帯端末から入力された前記検索キーワード、または前記位置情報受信携帯端末に表示される案内図上で直接選択された目的地に基づいて広告コンテンツを選定する広告コンテンツ選定手段と、
該広告コンテンツ選定手段が選定した広告コンテンツを前記到達予想時刻計算手段にて算出された到達予測時刻に前記電子広告装置に表示する広告コンテンツ表示管理手段と、
を有し、
最適なタイミングに最適な広告コンテンツの表示を行う案内連動広告システム。
【発明の詳細な説明】
【技術分野】
【０００１】
本発明は、目的地への位置情報を利用した案内と共に最適な広告・案内情報を広告表示装置に表示させる案内連動広告システムに関するものである。
【背景技術】
【０００２】
従来においては、展示会などのイベントでは主に紙のパンフレットに会場地図や出展社の情報を記載して、来場したユーザはそれを参照して、目的地（各社の出展ブースや施設）に到達していた。近年は移動体通信の進化により、位置情報を利用した案内システムが普及している。そのような状況の中、特許文献１で記述されているように屋内での位置情報の取得が可能となってきている。他方、特許文献２で記述されているように、電子広告ディスプレイによる広告或いは案内情報の表示も一般的となりつつある。
【先行技術文献】
【特許文献】
【０００３】
【特許文献１】特開２００９−０８５９２８号公報
【特許文献２】特開平０９−３２５９９２号公報
【発明の概要】
【発明が解決しようとする課題】
【０００４】
一般の電子広告ディスプレイは、時間帯などにより予め定められたコンテンツを表示するものであり、当該広告を視聴するユーザは不特定多数であり、たまたま当該ディスプレイの前を通過するユーザの興味のレベルはまちまちであるために、案内または広告の効果が高いとは言えない。
【０００５】
本発明の目的は、ユーザの興味のある案内または広告をタイムリーに表示する確率を高めることで、従来より宣伝・広告効果を上げることができる案内連動広告システムを提供することにある。
【課題を解決するための手段】
【０００６】
上記目的を達成するために、本発明は、ユーザの使用するGPS携帯端末と携帯キャリアの提供するインターネットアクセスとイベント主催者の準備する案内サーバへのインターネットアクセスと、位置情報送信機及びユーザに目的地までの経路を表示する案内サーバ、構内LANを利用して案内サーバと連動して、ユーザの位置情報と電子広告装置の位置情報から到達予想時刻を計算し、ユーザの入力した検索キーワードからコンテンツを選定し、到達予測時刻に選定した広告コンテンツの電子広告装置への表示を指示する広告管理サーバ、広告コンテンツの表示を行う電子広告装置から成り、ここでユーザは、GPS携帯端末にて位置情報送信装置の送信信号を受信し、位置情報を取得して、案内サーバにインターネットを通じてアクセスする、案内サーバ上で目的地の検索を行い、指定した目的地とユーザの位置情報から目的地までの経路をユーザの携帯端末に表示し、ユーザは移動を開始し、案内サーバに記録された端末ID及び位置情報は広告管理サーバから参照され、広告管理サーバは、ユーザの位置情報、経路情報から電子広告装置の前を通過する到達予想時刻を算出し、ユーザの入力した検索キーワードに適合する広告コンテンツを選定し、当該到達予想時刻に選定済み広告コンテンツを電子広告装置に表示することで、最適なタイミングに最適な広告コンテンツの表示を行うために宣伝広告効果を上げることができることを特徴とする。
【発明の効果】
【０００７】
本発明によれば、屋内外を問わず、展示会、博覧会など不特定多数のユーザが集まるイベント施設において、ユーザの目的地（ブース・施設）への経路案内及びその目的地の案内情報や広告情報をユーザの興味と電子広告装置への立ち寄りタイミングに合わせて効果的に提供することができる。
【０００８】
また、イベントのみならず、カーナビゲーションシステム及び屋外広告装置でも同様の効果を得ることができる。
【図面の簡単な説明】
【０００９】
【図１】図１は、本発明による案内連動広告システムの実施形態を示すシステム構成図である。
【図２】図２は、本発明による案内サーバの構成を示すブロック構成図である。
【図３】図３は、施設情報テーブルの構成図である。
【図４】図４は、案内情報テーブルの構成図である。
【図５】図５は、ユーザ位置管理テーブルの構成図である。
【図６】図６は、案内アプリケーションのフロー図である。
【図７】図７は、案内アプリケーションの案内画面である。
【図８】図８は、案内アプリケーションの検索画面である。
【図９】図９は、案内アプリケーションの経路表示画面である。
【図１０】図１０は、案内アプリケーションの案内情報画面である。
【図１１】図１１は、本発明による広告管理サーバの構成を示すブロック構成図である。
【図１２】図１２は、広告装置位置情報テーブルの構成図である。
【図１３】図１３は、キーワード選定テーブルの構成図である。
【図１４】図１４は、広告管理テーブルの構成図である。
【図１５】図１５は、コンテンツ情報テーブルの構成図である。
【図１６】図１６は、広告情報表示管理処理のフローチャートである。
【図１７】図１７は、広告表示装置へ広告表示処理のフローチャートである。
【図１８】図１８は、電子広告装置のブロック図である。
【図１９】図１９は、広告表示処理のフローチャートである。
【発明を実施するための形態】
【００１０】
以下、本発明の実施形態を図面に従い説明する。
図１は、本発明の案内連動広告システムの一実施形態を示すシステム構成図である。
図１に示すシステムは、イベント来場者が使用するGPS携帯端末１１，１２および携帯キャリア業者が所有するインターネットアクセス１６，１７とイベント主催者が準備する位置情報送信機１３及び、インターネット１５、構内LAN１８，２０で接続された案内サーバ１４と広告管理サーバ１９と広告管理サーバのスケジューリングに従い指定の広告コンテンツを表示する電子広告装置２１，２２で構成されている。
ここで、GPS携帯端末１１，１２は、位置情報受信携帯端末ともいえる。背景技術の項でも述べたように、近年ＩＭＥＳ（屋内ＧＰＳ）という技術が提案されている。屋内に設けられた専用装置からＧＰＳと互換性のある信号を配信するものである。携帯電話が内蔵するＧＰＳモジュール、既存のＧＰＳ受信機を使えるというメリットがある。位置情報送信機１３をＧＰＳ信号に互換性のあるものとすることで、屋内で開かれる展示会で、ＩＭＥＳを用いたこのシステムが適用可能である。
また、屋外にて開かれる展示会にあっては、衛星からのＧＰＳ信号そのものを用いることも可能である。さらに、屋内においては、ＩＭＥＳ以外に、赤外線、無線ＬＡＮ、Bluetooth（登録商標）、ＬＥＤ照明器具の発光する光に位置情報を載せるもの、などさまざまなバリエーションがありえる。上記携帯端末をそのような位置情報を受信できるモジュールを備えるものに変更することで、位置情報の種類に対応可能である。
携帯端末は、本発明の適用のためには、構内ＬＡＮなどの局所的なコンピュータネットワークにアクセス可能なもので足りる。しかし、現在の日本の携帯電話の普及率が高いこと、携帯電話のキャリア（通信業者）がインターネットアクセスをも通常サポートしていること、携帯電話のインターネットの常時接続が普及していること、に鑑みて、携帯端末１１，１２が携帯キャリア業者が提供するサービスにてインターネットにアクセスするものとして、以下説明する。
【００１１】
図２は、案内サーバ１４の構成を示すブロック図であり、携帯端末からのアクセスを中継するWebサーバ２３及び案内を行う案内アプリケーション２４、案内アプリケーションが使用する施設情報２６、案内情報２７、及び案内アプリケーションが記録するユーザ位置管理表２５で構成される。
【００１２】
図３は、施設情報テーブルの構成図であり、各施設を識別する施設ID３０１、施設の種別を示す施設種別コード３０２、施設名称３０３、施設の位置を示す施設X軸３０４、施設Y軸３０５、施設Z軸３０６、検索時の候補またはマッチングの対象となる、会社３０７、製品３０８、キーワード１  ３０９、キーワード２  ３１０から構成される。本テーブルは、広告管理サーバ１９からも参照可能である。
【００１３】
図４は、案内情報テーブルの構成図であり、各施設を識別する施設ID４０１、施設名称４０２、施設の説明文である施設概要４０３、任意項目であり施設の詳細情報を表示可能な施設URL４０４、ユーザへの表示に利用するブース番号４０５から構成される。
【００１４】
図５は、ユーザ位置管理テーブルのデータ構成図であり、経路案内時のユーザ選択またはユーザ入力値及びユーザの携帯端末IDとユーザの位置情報及びタイムスタンプを記録するテーブルであり、携帯端末IDを格納するユーザID５０１、案内サーバアクセスの最終アクセスを記録するタイムスタンプ５０２、目的地の施設IDを格納する目的地ID５０３、ユーザの位置情報を格納するユーザX軸５０４、同ユーザY軸５０５、同ユーザZ軸５０６、ユーザの選択を記録する選択製品５０７、同選択会社５０８、同選択キーワード５０９、ユーザの入力キーワードを格納するフリーキーワード５１０から構成される。本テーブルは、広告管理サーバ１９からも参照可能である。
【００１５】
図６は、案内アプリケーションの処理フローであり、ユーザ携帯端末からチケット記載のQRコードの読取りやチケット記載のURLの直接入力によってアクセスされる案内サーバの処理を示す。まず、会場の様子を表す案内図表示が処理される。この案内図上の施設の名称の表示に施設情報テーブルから取得した施設名称３０３、施設X軸３０４、施設Y軸３０５、施設Z軸３０６を用いる。（ステップ６０１）
【００１６】
案内図表示の結果の画面を図７案内図画面に示す、案内図画面７０１は、別会場がある場合に会場を切り替える会場切換えボタン７０２及び会場案内図の表示７０３、目的地検索に用いる検索ボタン７０４、選択した目的地の情報の表示に用いる情報ボタン７０５から構成される。
次に、検索ボタン７０４をクリックした場合は、目的地検索処理６０２が実行された後に目的地選択処理６０３が実行される。直接案内図上の目的地を選択した場合は、目的地検索処理６０２を経由することなく、目的地選択処理６０３が実行される。
【００１７】
目的地検索処理で表示される検索画面８０１を図８に示す。検索の選択肢としては、予め図３に示す施設情報テーブル２６に用意された会社３０７、製品３０８、キーワード１  ３０９、キーワード２  ３１０を、製品選択候補８０２、会社選択候補８０３、キーワード候補８０４として表示してユーザが選択する、または、ユーザがテキスト入力するフリーワード検索８０５を入力して、検索ボタン８０６をクリックする。画面下部は案内図へ戻る用途に用いる、会場図A８０７、会場図B８０８、会場図C８０９である。（ステップ６０２）
【００１８】
検索した結果の目的地、または案内図で直接選択された目的地が設定されることが目的地選択処理の動作である。目的地が選択されていない場合は再び案内図表示６０１に戻る。（ステップ６０３）
目的地が選択されていれば、予めGPS携帯端末が位置情報送信機からの信号で判明した位置情報と携帯端末IDを案内アプリケーションに送信する、これがID/位置情報の取得処理の動作である。取得した情報は、タイムスタンプと共にユーザ位置管理テーブル２５に格納される。（ステップ６０４）
【００１９】
次に経路表示処理が実行される。この処理では一般のナビゲーションシステムと同様に、ユーザの位置情報と目的地の位置情報の間の経路を、地図情報の交差点と目標物をノードとするグラフで表現しノード間の距離を評価することで最短経路を決定して、図９の経路表示画面９０１を表示する。
【００２０】
経路表示画面は、案内画面と同様に、会場切換えボタン９０２、案内図９０３、再検索用の検索ボタン９０４、目的地の情報を表示する情報ボタン９０５で構成され、案内図９０３には決定された最短経路が表示される。
【００２１】
案内図上で目的地を選択して、情報ボタン９０５をクリックすると、図１０に示す目的地情報表示画面１００１が表示される。目的地情報表示画面には、案内情報テーブル２７から取得したブース番号やブースの概要、製品情報が表示される１００２。会場図ボタン１００３で、経路表示していない場合は案内図表示画面に、経路表示した場合には経路表示画面に戻ることができる。（ステップ６０５）
【００２２】
ここまでが会場の来場者ユーザが案内サーバにアクセスして案内を受ける本システムの前段の動作であり、以降にユーザの位置情報と検索キーワードを利用した広告表示について記述する。
【００２３】
図１１は、広告管理サーバ１９のブロック構成図であり、キーワード選定処理１１０１、広告情報表示管理処理１１０２及びそのデータである広告装置位置情報１１０３、キーワード選定表１１０４、広告管理表１１０５、コンテンツ情報１１０６、広告表示処理１１０７で構成され、構内LAN１８、２０を経由して案内サーバ１４及び電子広告装置２１、２２に接続される。
【００２４】
図１２は、広告装置位置情報のデータ構成図であり、個別の電子広告装置を識別するディスプレイID  １２０１、当該装置の位置を示すディスプレイX軸１２０２、ディスプレイY軸１２０３、ディスプレイZ軸１２０４からなる。
【００２５】
図１３は、キーワード選定表のデータ構成図であり、同一の列構成を持つ複数の表から構成される。ここでは、GPSの精度（数ｍ）及び群集の歩行速度（1m/s）の仮定の元に、10秒間隔で適切なタイミングでの広告表示が可能とする。（赤外線、無線LANなどによる位置情報では精度の上昇が見込めるので1秒間隔としてよい。）以降この10秒間隔の時間枠をタイムスロットと呼ぶ。前記の前提で、キーワード選定表は、タイムスロット毎に1枚の表とする。開場時刻から閉場時刻の間に10秒間隔で、t1=10:00:00、t2=10:00:10．．．tn=18:00:00の表となる。本表は、ディスプレイID  １３０１、ユーザID  １３０２、目的地ID  １３０３、選択製品１３０４、選択会社１３０５、選択キーワード１３０６、フリーキーワード１３０７の列から構成される。本表のデータは、案内図サーバのユーザ位置管理テーブルから転記される、その詳細は、広告情報表示管理処理（図１６）で後述する。
【００２６】
図１４は、広告管理表のデータ構成図であり、ディスプレイID  １４０１、当該ディスプレイの通信先を示すIPアドレス１４０２、以降タイムスロット毎に、再生コンテンツを示すコンテンツIDを格納する時間枠１  １４０３、コンテンツを選択する際に候補となったキーワード、製品名、会社名などを格納するキーワード１  １４０４、キーワード１の評価ポイントを格納するポイント１  １４０５の３列があり、この３列はタイムスロットの数分繰り返す。時間枠１−ｎには初期データとして、展示会参加各社のPRコンテンツのIDが格納される。
【００２７】
図１５は、コンテンツ情報テーブルであり、予め用意した広告再生データをポイントするコンテンツID  １５０１とファイル名１５０２、コンテンツの属性情報である製品名１５０３、会社名１５０４、登録キーワード１  １５０５、登録キーワード２  １５０６、目的地ID  １５０７、コンテンツ再生時間  １５０８から構成される。
【００２８】
図１６は、広告表示管理１１０１の処理フロー図である。開始時刻チェックは、予め設定された開始時刻かどうかをチェックして、開始時刻になったら次の処理に進む。（ステップ１６０１）
次の案内データ取得処理は、タイムスタンプ５０２で判別して各タイムスロット毎に案内サーバ１４のユーザ位置管理表２５の新規データを取得する。（ステップ１６０２）
次に、経路チェックを行い案内サーバ１４と同様の方法で経路を決定し、その経路に電子広告装置が存在するかどうかをチェックする。電子広告装置の位置は広告装置位置情報１１０３から取得する。当該装置が経路に存在しない場合及びユーザ位置管理表に新規データが無い場合は、次タイムスロットの案内データ取得処理１６０２に戻る。当該装置が経路に存在する場合は、到達予定時刻計算処理１６０４に制御を移す。（ステップ１６０３）
【００２９】
到達予定時刻計算処理では、ユーザ位置管理テーブル２５の各行毎に以下の計算を実施して、該当するタイムスロットを決定し、キーワード選定表１１０４にデータを格納する。
到達予定時刻＝  案内サーバでの案内時刻  ＋  ユーザ位置から電子広告装置位置までの経路の距離／平均歩行速度
【００３０】
案内サーバでの案内時刻は、ユーザ位置管理表２５のタイムスタンプ５０２から取得し、ユーザ位置から電子広告装置位置までの距離は、案内サーバ１４での経路決定処理と同様にノード間の距離を合計する。平均歩行速度は、１ｍ／秒と仮定する。
【００３１】
上記の計算を行って算出した到達予定時刻を含むタイムスロットに所属するデータとして、ユーザ位置管理表２５のユーザＩＤ  ５０１、目的地ＩＤ  ５０３、選択製品５０７、選択会社５０８、選択キーワード５０９、フリーキーワード５１０及び経路上に存在する電子広告装置のディスプレイＩＤをキーワード選定表にコピーする。（ステップ１６０４）
【００３２】
次にキーワード係数計算処理では、キーワードを１つ選定するために、キーワード選定表１１０４を使い、ディスプレイＩＤ  １３０１毎に、同一の選択製品、選択会社、選択キーワード、フリーキーワードの数をカウントする。カウント数には以下の係数を掛けてポイントとする。
・ 選択製品：係数１．５
・ 選択会社：係数１
・ 選択キーワード：係数２
・ フリーキーワード：係数４
【００３３】
このポイントが最大のものをコンテンツ選択のキーワードとする。ポイント同点のキーワードがある場合は、種類が異なるならばフリーキーワード、選択キーワード、選択製品、選択会社の順で選択し、種類が同じ場合は、ユーザＩＤをキーにユーザ位置管理表２５を検索してタイムスタンプ５０２の早い順で選択する。また、ユーザ選択が無く、選択製品、選択会社、選択キーワード、フリーキーワードのポイントが０の場合は、目的地ＩＤもカウントして、カウント数をポイントとして、ポイントが最大の目的地ＩＤをキーワードとして選択する。ポイントが同数の場合は、目的地ＩＤの小さいものを選択する。（ステップ１６０５）
データ構成図である図１３の例では、ディスプレイＩＤ＝１１１１の１行目と２行目で、同じ値を持つ列が無いのでフリーキーワード「SpecialKeyword1」がキーワードとして選択される。
【００３４】
次に、コンテンツ情報取得処理で、前記キーワードが、製品名１５０３、会社名１５０４、登録キーワード１  １５０５、登録キーワード２  １５０６、目的地ID  １５０７のいずれかにマッチする行のコンテンツ情報をコンテンツ情報１１０６から取得する。（ステップ１６０６）
【００３５】
次に、広告管理表の更新処理では、広告管理表１１０５の該当するディスプレイIDの行の該当するタイムスロットのキーワードｎにステップ１６０５で選択されたキーワードを格納し、同様にポイントｎにステップ１６０５で選択されたキーワードのポイント数を格納し、時間枠ｎにステップ１６０６で取得したコンテンツのコンテンツIDを格納する。
その際に、コンテンツ情報の再生時間１５０８をタイムスロット（10秒と仮定）で割った数分の時間枠を連続して前記のコンテンツIDを格納する。以下に連続枠数の計算例を記述する。
連続枠数  １２  ＝  再生時間１２０（秒）／  タイムスロット１０（秒）
この例では、時間枠ｎから時間枠n+11までに同一のコンテンツIDを格納する。
【００３６】
また、コンテンツIDの連続格納と同時に、キーワード及びポイントの値も連続枠数分を格納する。
保存の際に、既にキーワードｎ、ポイントｎ、時間枠ｎに値が存在する場合で、保存しようとするキーワードと既に格納されているキーワードが異なる場合は、保存しようとするキーワードのポイント数が、既に格納されているキーワードのポイント数より大きい場合に、保存しようとするキーワード、ポイント及びキーワードに適合するコンテンツのコンテンツIDを格納する。ポイント数が同じ場合は、新しいデータの方が関心が高いと判断して、保存しようとするキーワード、ポイント及びキーワードに適合するコンテンツのコンテンツIDを格納する。この際、入替え後の再生時間が長い場合は、その次のコンテンツの再生が終わりまで実施されないが、より興味の高いコンテンツの再生ができることが重要なので特段の対応を行わない。入替え後の再生時間が短い場合は、空きのできるタイムスロットには、調整中画面を表示するコンテンツIDを格納する。（ステップ１６０７）
【００３７】
次の処理は終了時刻チェックで予め設定された終了時刻に到達していない場合は、案内データ取得１６０２に戻り、以降の処理を繰り返す。終了時刻に到達した場合は、本処理を終了する。（ステップ１６０８）
【００３８】
図１７は、広告表示１１０２の処理フロー図である。
開始時刻チェックは、予め設定された開始時刻かどうかをチェックして、開始時刻になったら次の処理に進む。（ステップ１７０１）
次の処理は、広告表示装置へ広告表示処理で、各ディスプレイ毎に次のタイムスロットの以下の処理を実行する。
【００３９】
広告管理表１１０５及びコンテンツ情報１１０６の情報を取得して、広告管理表１１０５の情報をタイムスロット順に時間枠ｎのコンテンツIDを取得する。該当コンテンツIDのコンテンツファイル名をコンテンツ情報１１０６のファイル名１５０２から取得する。また、広告管理表１１０６のIPアドレス１４０２からIPアドレスを取得する。前記のIPアドレスを利用して、指定ディスプレイIDの電子広告装置と通信を行い、指定タイムスロットと指定コンテンツファイル名によって、コンテンツの再生を指示する。この際に、時間枠ｎと時間枠ｎ＋mまで連続して同じコンテンツＩＤが格納されていて、且つコンテンツ情報１１０６の再生時間１５０８をタイムスロットで割った個数までの連続である場合は、同一コンテンツの再生中と見なして、新たなコンテンツ再生を指示しない。但し、その連続が再生時間を越える場合は、再生時間を超えたタイムスロットの次のタイムスロットで２回目の同一コンテンツ再生を指示する。（ステップ１７０２）
【００４０】
次の処理は終了時刻チェックで予め設定された終了時刻に到達していない場合は、広告表示装置へ広告表示１７０２に戻り、以降の処理を繰り返す。終了時刻に到達した場合は、本処理を終了する。（ステップ１７０３）
【００４１】
図１８に電子広告装置２０，２１の構成図を示す。電子広告装置は、広告を表示する表示装置１８０１、キーボード１８０２、マウス１８０３を備え、メモリ１８０５に表示情報受信処理プログラム１８０６を格納し、ディスク１８０７にコンテンツファイル１８０８を格納しており、LAN通信を備えた通常のPCである。
【００４２】
図１９は、表示情報受信処理１８０６のフロー図である。
開始時刻チェックは、予め設定された開始時刻かどうかをチェックして、開始時刻になったら次の処理に進む。（ステップ１９０１）
次の処理は、広告表示処理で、構内LAN１８を通じて、広告表示管理サーバ１９から受信するタイムスロットとコンテンツファイル名を取得して、現在時刻がタイムスロットの開始と一致した時に、予め格納されているコンテンツファイル１８０８の受信したコンテンツファイル名に一致するファイルを再生する。（ステップ１９０２）
【００４３】
次の処理は終了時刻チェックで予め設定された終了時刻に到達していない場合は、広告表示１９０２に戻り、以降の処理を繰り返す。終了時刻に到達した場合は、本処理を終了する。（ステップ１９０３）
【００４４】
以上の動作により、本発明に関わる案内連動広告システムは、従来システムに比べてユーザの関心の高い広告コンテンツをユーザが電子広告装置に到達するタイミングでタイムリーに表示し、高い宣伝広告効果を得ることができる。
【産業上の利用可能性】
【００４５】
展示場、商店街、ビル内の廊下、などに設置する広告装置に適用可能である。カーナビゲーションシステムに拡張して適用する可能性もある。
【符号の説明】
【００４６】
１１，１２  携帯端末
１３  位置情報送信機
１４  案内サーバ
１５  インターネット
１８，２０  構内LAN
１９  広告管理サーバ
２１，２２  電子広告装置
２３  Webサーバ
２４  案内アプリケーション
２５  ユーザ位置管理表
２６  施設情報
２７  案内情報
１１０１  広告情報表示管理
１１０２  広告表示
１１０３  広告装置位置情報
１１０４  キーワード選定表
１１０５  広告管理表
１１０６  コンテンツ情報
【図１】
0005534761.tif 000002
【図２】
0005534761.tif 000003
【図３】
0005534761.tif 000004
【図４】
0005534761.tif 000005
【図５】
0005534761.tif 000006
【図６】
0005534761.tif 000007
【図７】
0005534761.tif 000008
【図８】
0005534761.tif 000009
【図９】
0005534761.tif 000010
【図１０】
0005534761.tif 000011
【図１１】
0005534761.tif 000012
【図１２】
0005534761.tif 000013
【図１３】
0005534761.tif 000014
【図１４】
0005534761.tif 000015
【図１５】
0005534761.tif 000016
【図１６】
0005534761.tif 000017
【図１７】
0005534761.tif 000018
【図１８】
0005534761.tif 000019
【図１９】
0005534761.tif 000020